(57)【特許請求の範囲】
【請求項１】
略円錐形内周面を形成し、下端に吸込み口を、上方側部に吐出口を備え、空気導通口を有する蓋を備えたポンプ本体内に、前記内周面と間隙を有して回転する羽根を設けたドレンポンプであって、吐出側継手内にオリフイス体を着脱自在に設けたドレンポンプにおいて、前記オリフイス体には、吐出側継手の外に突出する部分にくびれ部を形成してなることを特徴とするドレンポンプ。
【発明の詳細な説明】
【０００１】
【発明の属する技術分野】
本発明は、空気調和装置において、ドレンパンに貯留したドレンを外部に排出するためのドレンポンプにおいて、特に、低流量化のために吐出口部分にオリフイス体を設けたドレンポンプに関する。
【０００２】
【従来の技術】
空気調和装置等において、室内外熱交換器で凝縮したドレン水は、下方に設置されたドレンパンに集められ、このドレンパンに設置されたポンプによって外部に排出されている。このようなドレン水の排水ポンプとしては各種のものが採用され、また提案されているが、近年は構造の簡単さ及び効率の良さ等から、漸次直径が増加する曲面が内周に形成されたポンプ本体の小径側に吸込み口が形成され、大径側に吐出口が形成され、このポンプ本体内に、内部の曲面に接しない間隙を隔てて回転する羽根がポンプ本体に内蔵され、ポンプ本体の上部にカバーを設け、このカバーに気体流入部を設ける形式のポンプが広く採用されるに至っている。このポンプにおいては、羽根の回転により吸込み口から吸入されたドレン水は、気体流入部より導入された空気の大気圧とバランスしつつ自由表面を中心部に形成しつつポンプ本体の内周面に添って高速度で回転し、その運動エネルギーは圧力エネルギーに変換されて吐出口から高位置にある外部への排出口に連なる排出管を通って排出される。
【０００３】
【発明が解決しようとする課題】
上記のようなドレンポンプにおいては、その揚程及び流量は、モータ仕様、羽根、本体形状、流路面積等により決定される。したがって、ポンプの仕様を変更する場合は、モータ仕様、羽根形状等を変更する必要がある。しかも、この場合、流量と揚程は比例的相関関係にあり、揚程を変えずに低流量を得ることはできない。また、羽根と本体内面のクリアランスを減少させるなど、流路面積を絞る場合は、この流路を絞った部分にゴミや水垢が詰まる等の不具合を発生しやすいという欠点を生じる。
【０００４】
したがって、本発明は、簡単な構造で、かつ容易に着脱することができ、種々の仕様に対応することが容易にできるとともに、揚程を低下することなく低流量化を計ることができるドレンポンプを提供することを目的とする。
【０００５】
【課題を解決するための手段】
本発明は、上記課題を解決するため、略円錐形内周面を形成し、下端に吸込み口を、上方側部に吐出口を備え、空気導通口を有する蓋を備えたポンプ本体内に、前記内周面と間隙を有して回転する羽根を設けたドレンポンプであって、吐出側継手内にオリフイス体を着脱自在に設けたドレンポンプにおいて、前記オリフイス体には、吐出側継手の外に突出する部分にくびれ部を形成してなるドレンポンプを構成したものである。
【０００６】
本発明は、上記のように構成したので、ドレンポンプの駆動時には、羽根の回転によりドレンは吸込み口から吐出口側にドレンを吐出する。このときポンプから吐出されるドレンは、オリフイス体で絞られることで、流量は低下する。しかしながら、揚程はモータ、羽根条件等の能力で決まり、また、本体内の圧力も高くなるので、揚程は変化することがない。また、通常回転時において、空気を引き込む量も低減するため、空気泡を砕く騒音も低下する。
【０００７】
【発明の実施の形態】
本発明の実施例を図面に添って説明する。図１は本発明によるオリフイスを装着したドレンポンプの断面図を示し、ポンプ本体１の内周面２は略円錐形をなし、下端に吸込み口３を、上方側部に吐出口４を備えている。ポンプ本体１の上方の開口にはＯリング５を介してねじ６により固定される蓋７を備え、蓋７の中心立ち上がり部８の上端には、羽根１０を下端に固定する軸１１が貫通すると共に、ポンプ室１２と大気と連通する開口１３を形成している。羽根１０の外周は、ポンプ本体１の内周面２と間隙を有して配置され、羽根１０を固定する軸１１の上部には、蓋７の開口１３の上方に水切り板１４を設けている。蓋７の上面から延びる支持軸１５にはモータ１６が固定され、モータ１６から伸びる駆動軸と支持軸１５とは連結している。モータ１６の上部にはねじ１７によりブラケット１８が固定され、ブラケット１８には配電部材が固定されている。
【０００８】
水平方向に延びている吐出口４に連通する吐出側継手９内には、図２及び図３に示すようなオリフイス体２０が挿入固定されている。オリフイス体２０は吐出側継手９に挿入される挿入部２１と、オリフイス部２２と先端開口部２３とを備えており、挿入部２１は端部２４から軸方向に延びる図中４本のスリット２５を形成しているスリット形成部２６と、スリットを形成していない挿入支持部２７とを有している。オリフイス体２０を吐出側継手９に挿入していない状態において、このスリット形成部２６と挿入支持部２７部分の内径は等しく、スリット形成部２６の外周は、挿入支持部２７との連結部から端部２４に近づくに従って大径となるように形成されており、挿入支持部２７の外径は吐出口の内径と略等しく成形されている。また、スリット形成部２６の端部２４近傍にはリング溝２８を形成しており、そのリング溝２８から端部２４に向けてその外形が縮径するテーパ部２９を形成している。
【０００９】
オリフイス体２０のオリフイス部２２の内径は所定の値に正確に成形されており、その外周にはくびれ部３０を備えている。このくびれ部は、図１に示すように、オリフイス体２０を吐出側継手内に挿入した際に、吐出側継手の外に突出するように設定されている。また、オリフイス部２２に続く先端開口部２３はオリフイス部２２から他端部３１に近づくに従って拡径する孔３２を備えている。このようなオリフイス体２０を吐出側継手９内に挿入する際には、オリフイス体２０を吐出口の開口部３３に当て、強く押し込むと、オリフイス体２０の挿入部２１におけるスリット２５がオリフイス挿入部の最大外径部分が吐出側継手９の内径より大きく設定されているので、図４に示すようにオリフイス形成部２６が押し縮められ、また、テーパ部２９の案内によりスリット形成部２６が次第に吐出側継手９内に挿入される。そして最終的にオリフイス体２０の端部２４が吐出側継手９の段部３４に当接して止まり、この状態でオリフイス体２０はスリット形成部２６の弾性力により吐出側継手９内に確実に挿入固定される。
【００１０】
上記のようなオリフイス体２０は、種々の内径のオリフイス部２２を備えるものを用意し、空気調和器の仕様、即ち要求されるドレンポンプの仕様に従って任意のものを選択して、吐出側継手内に挿入して使用する。また、オリフイス体のメンテナンス、或いはオリフイス体を交換するときには、オリフイス部２２の外周に形成されているくびれ部３０に指をかけ引き抜くことにより、オリフイス体２２は手によって容易に吐出側継手９内から取り外すことができる。
【００１１】
このように、所定の内径を有するオリフイス部２２を備えたオリフイス体２０を吐出口側継手９内に挿入したオリフイス付きドレンポンプの使用に際しては、ドレンパン内にドレンが貯留した状態においてモータ１６が駆動されると、軸を介して羽根１０が回転し、ドレンパン内のドレンは羽根１０によって掻き回され、ポンプ本体内摺面に押しつけられる状態で羽根１０と共に回転し、遠心力によって上昇する。このとき、蓋７の開口１３から中心部に空気が導入されているので、回転するドレン水の中心側表面は自由表面が形成される。ドレン水は、吐出口４近傍で羽根１０の大径部により掻き回され、大きな速度エネルギーが付与され、吐出口４部分ではこの速度エネルギーが圧力エネルギーに変換され、ドレン水は吐出管側継手９に連結される図示されない吐出管を介してドレンホースに排出される。
【００１２】
このとき、ポンプから吐出されるドレンは、オリフイス部２２で絞られることで、流量は低下する。しかしながら、揚程はモータ、羽根条件等の能力で決まり、また、本体内の圧力も高くなるので、揚程は変化することがない。更に、通常回転時において、空気を引き込む量も低減するため、空気泡を砕く騒音も低下するものである。
【００１３】
【発明の効果】
本発明は、略円錐形内周面を形成し、下端に吸込み口を、上方側部に吐出口を備え、空気導通口を有する蓋を備えたポンプ本体内に、前記内周面と間隙を有して回転する羽根を設けたドレンポンプにおいて、吐出側継手内にオリフイス体を着脱自在に設けたことにより、流量が微少流量であるにも関わらず揚程が変化することがなく、また、ポンプの作動時に空気泡を砕くことによる騒音を発生することが少なくなり、流量の設定はオリフイス体の径の異なるものと交換することにより任意に且つ容易に設定することができ、オリフイス体が微少径であることによりオリフイス体にゴミや水垢等が詰まったときにも、オリフイス体を取り外してこれを容易に取り除くことができ、しかも構造が簡単であるので安価なものとすることができる。
【図面の簡単な説明】
【図１】本発明の実施例の断面図である。
【図２】同実施例に適用するオリフイス体の側面図である。
【図３】同正面図である。
【図４】同オリフイス体を装着後の状態のオリフイス形成部の断面図である。
【符号の説明】
１  ポンプ本体
２  内周面
３  吸込み口
４  吐出口
５  Ｏリング
６  ねじ
７  蓋
８  立ち上がり部
９  吐出側継手
１０  羽根
１１  軸
１２  ポンプ室
１３  開口
１４  水切り板
１５  支持軸
１６  モータ
１７  ねじ
１８  ブラケット
２０  オリフイス体
２１  挿入部
２２  オリフイス部
２３  先端開口部
２４  端部
２５  スリット
２６  スリット形成部
２７  挿入支持部
２８  リング溝
２９  テーパ部
３０  くびれ部
３１  他端部
３２  孔
３３  開口部
３４  段部
【図１】
0003780395.tif 000002
【図２】
0003780395.tif 000003
【図３】
0003780395.tif 000004
【図４】
0003780395.tif 000005